Podtech/llm-jp-corpus-v4-ja_patent huggingface dataset:
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
被写体の第１画像に関して、ｉ）前記第１画像内の第１画像構造に関する位置、及び、ii）前記被写体の少なくとも一部の対応する物理的特性に関する構造特性を有する、入力の明細を入力する入力ポートであって、前記構造特性の明細が少なくともスペクトル情報を含む、入力ポートと、
前記入力の明細に基づいて、第２画像における第２画像構造を識別する画像構造検索部であって、前記スペクトル情報に基づいて物質分解を実行する画像構造検索部と、
表示装置上に前記第２画像構造を表示するグラフィック表示発生部と、
を有する、画像処理システム。
【請求項２】
前記画像構造検索部の識別処理が、前記第１画像構造及び第２画像構造を類似性尺度に基づいて比較する処理を有する、請求項１に記載の画像処理システム。
【請求項３】
前記類似性尺度が、グレイ値ヒストグラム類似性か、スペクトル若しくは物質組成の類似性か、寸法、形態、テクスチャ及び造影剤摂取の何れか１つの類似性かの何れか１つ又は組合せを含む、請求項２に記載の画像処理システム。
【請求項４】
前記構造特性の明細が、ｉ）寸法及び／又は形状パラメータ、並びにii）物質タイプの何れか１つ又は組合せを含む、請求項１ないし３の何れか一項に記載の画像処理システム。
【請求項５】
前記画像構造検索部の識別処理が、前記第１画像から前記第２画像へ形状を伝搬させる処理を有し、前記形状が前記形状パラメータ又は他の形状パラメータにより指定される、請求項１ないし４の何れか一項に記載の画像処理システム。
【請求項６】
前記被写体が、イメージャによる前記第１及び第２画像の各収集の間において再配置及び／又は変形される、請求項１ないし５の何れか一項に記載の画像処理システム。
【請求項７】
前記第１及び第２画像は前記被写体の異なるビューを供給し、前記第１及び第２画像構造は前記被写体の又は前記被写体内の関心部分を表す、請求項１ないし６の何れか一項に記載の画像処理システム。
【請求項８】
前記第１画像は２Ｄ又は３Ｄ画像であり、前記第２画像は２Ｄ又は３Ｄ画像である、請求項１ないし７の何れか一項に記載の画像処理システム。
【請求項９】
前記検索部の前記識別処理は、前記第２画像における前記第２画像構造の形状／位置を識別する処理を含む、請求項１ないし８の何れか一項に記載の画像処理システム。
【請求項１０】
前記画像構造検索部の識別処理は、前記第２画像内の検索領域を識別する処理を有し、前記類似性尺度を前記検索領域内の画像情報に適用する、請求項１ないし９の何れか一項に記載の画像処理システム。
【請求項１１】
前記グラフィック表示発生部は、前記第１画像構造及び前記第２画像構造を前記表示装置上に一緒に表示させる、請求項１ないし１０の何れか一項に記載の画像処理システム。
【請求項１２】
前記第１及び第２画像構造に関する共通構造特性を計算する構造分析部を有する、請求項１ないし１１の何れか一項に記載の画像処理システム。
【請求項１３】
前記第１画像が前記表示装置上に表示されている間にユーザにより前記入力の明細を供給するように操作可能な対話型ユーザインターフェースを有する、請求項１ないし１２の何れか一項に記載の画像処理システム。
【請求項１４】
前記画像構造検索部の前記識別処理は、前記類似性尺度に関して最適化又は検索アルゴリズムを実行する処理を含み、前記アルゴリズム及び／又は類似性尺度が入力された前記入力の明細に基づいて選択される、請求項２ないし１３の何れか一項に記載の画像処理システム。
【請求項１５】
イメージャ及び請求項１ないし１４の何れか一項に記載の画像処理システムを含む、撮像装置。
【請求項１６】
被写体の第１画像に関して、ｉ）前記第１画像内の第１画像構造に関する位置、及び、ii）前記被写体の少なくとも一部の対応する物理的特性に関する構造特性を有する、入力の明細を入力するステップであって、前記構造特性の明細が少なくともスペクトル情報を含む、ステップと、
前記入力の明細に基づいて、第２画像における第２画像構造を識別するステップであって、前記スペクトル情報に基づいて物質分解を実行するステップを含む、ステップと、
前記第２画像構造を表示するステップと、
を含む、画像処理方法。
【請求項１７】
請求項１ないし１５の何れか一項に記載の画像処理システムを制御するためのコンピュータプログラムであって、処理ユニットにより実行された場合に請求項１６に記載の画像処理方法のステップを実行する、コンピュータプログラム。
【請求項１８】
請求項１７に記載のコンピュータプログラムを記憶したコンピュータ読取可能な媒体。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
組織の辺縁を保護するために体開口部を通る耐切断性経路を提供するガードであって、前記ガードは、
中央ルーメンを画定する管の形状を備えた側壁を有し、前記中央ルーメンは、近位端部のところの近位開口部と遠位端部のところの遠位開口部との間で長手方向軸線に沿って延び、前記側壁は、隙間を形成する複数の織編フィラメントを有する柔軟性の耐切断性メッシュ材料の少なくとも１つの層で作られ、前記側壁は、前記近位端部に向かって次第に拡径している前記中央ルーメンが前記側壁に近位フランジを形成し、前記遠位端部に向かって次第に拡径している前記中央ルーメンが前記側壁に遠位フランジを形成する常態の非変形形態にあるときに全体として砂時計の形状を有し、前記近位フランジは、前記ガードを前記組織辺縁の近位端部に対して定着させるよう構成され、前記遠位フランジは、前記ガードを前記組織辺縁の遠位端部に対して定着させるよう構成され、前記側壁は、前記体開口部に沿って前記組織辺縁を周方向に保護し、前記側壁は、前記近位フランジと前記遠位フランジとの間に配置されたネック部分を有し、前記側壁は、前記常態の非変形形態から変形可能であり、解放されると、前記常態の非変形形態に戻るよう付勢されている、ガード。
【請求項２】
前記メッシュ材料は、前記長手方向軸線に対して側方に伸張するよう構成され、前記側壁は、前記常態の非変形形態にあるときの前記ネック部分のところの前記中央ルーメンの前記外側寸法に対して前記ネック部分のところの前記中央ルーメンの前記外側寸法を拡大するよう拡張可能である、請求項１に記載のガード。
【請求項３】
前記メッシュ材料は、前記長手方向軸線に沿う前記ガードの軸方向寸法を減少させている間、前記ネック部分が前記ガードの前記外側寸法を長くするよう外側に拡張可能であるようになるよう構成されている、請求項１又は請求項２に記載のガード。
【請求項４】
前記メッシュ材料は、前記長手方向軸線に対して側方に伸張して前記側壁が前記常態の非変形形態にあるときの前記ネック部分のところの前記中央ルーメンの前記隙間に対して前記ネック部分のところの前記中央ルーメンの前記隙間を拡大するよう拡張可能であるように構成されている、請求項１乃至３の何れか１項に記載のガード。
【請求項５】
前記遠位フランジは、縮小形態まで遠位側に折り畳むように構成され、前記遠位フランジは、前記常態の変形形状に対して小さな外形直径を有し、前記ガードの挿入及び取り出しを容易している、請求項１乃至４の何れか１項に記載のガード。
【請求項６】
前記側壁は、前記側壁がそれ自体オーバーラップして前記中央ルーメンを周方向に包囲するメッシュ材料の２つの同軸層を形成するよう前記遠位端部のところに折り目を有する、請求項１乃至５の何れか１項に記載のガード。
【請求項７】
前記側壁は、熱硬化性ポリマーフィラメントで作られている、請求項１乃至６の何れか１項に記載のガード。
【請求項８】
更に、前記遠位端部周りに位置するプルワイヤを有し、前記プルワイヤは、引かれると、前記遠位フランジの外側寸法を減少させるよう構成されている、請求項１乃至７の何れか１項に記載のガード。
【請求項９】
前記側壁は、前記ガードの遠位端部のところに折り目を作るよう折り畳まれ、前記側壁の前記第１の端部と前記第２の端部は、前記ガードの近位端部のところで互いに隣接して位置し、前記折り畳まれた側壁は、前記管状の第１のメッシュ材料層と実質的に同軸である管状の第２のメッシュ材料層を形成する、請求項１乃至８の何れか１項に記載のガード。
【請求項１０】
更に、周方向リングまたはビードを有し、前記側壁の前記第１の端部と前記第２の端部の両方は、前記リングまたはビード内に配置されている、請求項１乃至９の何れか１項に記載のガード。
【請求項１１】
更に、前記ガードの前記遠位端部周りに周方向に隙間を通って製織されたプルワイヤを有し、前記プルワイヤは、引かれると、前記遠位端部の前記外側寸法を減少させるよう構成されている、請求項１乃至１０の何れか１項に記載のガード。
【請求項１２】
前記ガードは、少なくとも、前記メッシュ材料を側方の方向に伸張させて前記フィラメントを互いに対して動かすとともに前記ガードの前記長手方向寸法を縮小している間に前記隙間を拡張することによって側方に拡張可能である中央ネック部分を有する、請求項１乃至１１の何れか１項に記載のガード。
【請求項１３】
前記ガードは、前記遠位フランジが遠位側に撓められて前記遠位端部および前記遠位フランジの前記外側寸法が前記常態の非変形形態に対して減少するよう前記ガードの前記軸方向寸法を長くする変形形態を有する、請求項１乃至１２の何れか１項に記載のガード。
【請求項１４】
前記プルワイヤが解放されると、前記遠位フランジは、常態の非変形形態に戻るよう付勢されている、請求項１乃至１３の何れか１項に記載のガード。
【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
ＭＲデバイスの検査ボリューム内に配置された物体のＭＲ撮像の方法であって、
ａ）前記物体に、励起ＲＦパルス、１つ以上のリフォーカシングＲＦパルス及びチップアップＲＦパルスを含む第１のＴ２準備シーケンスを受けさせるステップと、
ｂ）第１のセットのＭＲ信号を取得するために、前記物体に、少なくとも１つの励起ＲＦパルス及び切り替えられた磁場勾配を含む第１の読み出しシーケンスを受けさせるステップと、
ｃ）前記物体に、励起ＲＦパルス、１つ以上のリフォーカシングＲＦパルス及びチップアップＲＦパルスを含む第２のＴ２準備シーケンスを受けさせるステップであって、前記第２のＴ２準備シーケンスの前記ＲＦパルスのうちの少なくとも１つは、前記第１のＴ２準備シーケンスの対応するＲＦパルスとは異なる位相を有する、前記ステップと、
ｄ）第２のセットのＭＲ信号を取得するために、前記物体に、少なくとも１つの励起ＲＦパルス及び切り替えられた磁場勾配を含む第２の読み出しシーケンスを受けさせるステップと、
ｅ）異なる読み出しにおいて取得された前記ＭＲ信号の異なるＲＦ位相に基づいて、これらの読み出しからＭＲ信号を区別するステップと、
ｆ）前記第１のセットのＭＲ信号及び前記第２のセットのＭＲ信号から、非Ｔ２強調成分からの干渉を除去するステップと、
ｇ）前記干渉が除去された前記第１のセットのＭＲ信号及び前記第２のセットのＭＲ信号から、ＭＲ画像を再構成するステップと、
を含む、方法。
【請求項２】
前記第１のＴ２準備シーケンス及び前記第２のＴ２準備シーケンスの前記励起ＲＦパルスは、異なる位相を有する、請求項１に記載の方法。
【請求項３】
前記ステップａ）乃至ｄ）は、前記ステップｅ）において前記ＭＲ画像を再構成する前に、所与のｋ空間領域をサンプリングするために、複数回、繰り返される、請求項１又は２に記載の方法。
【請求項４】
前記第１のＴ２準備シーケンス及び前記第２のＴ２準備シーケンスは、空間的に非選択性である、請求項１乃至３の何れか一項に記載の方法。
【請求項５】
前記第１のＴ２準備シーケンス及び前記第２のＴ２準備シーケンスの前記励起ＲＦパルスは、反対の位相を有する、請求項１乃至４の何れか一項に記載の方法。
【請求項６】
前記第１のセットのＭＲ信号及び前記第２のセットのＭＲ信号は、差分ＭＲ信号のセットを形成するように減算され、前記ＭＲ画像は、前記差分ＭＲ信号のセットから再構成される、請求項５に記載の方法。
【請求項７】
第１のＭＲ画像が、前記第１のセットのＭＲ信号から再構成され、第２のＭＲ画像が、前記第２のセットのＭＲ信号から再構成され、前記第１のＭＲ画像及び前記第２のＭＲ画像は、差分ＭＲ画像を形成するように減算される、請求項５に記載の方法。
【請求項８】
前記第１の読み出しシーケンス及び前記第２の読み出しシーケンスは、勾配エコーシーケンス、好適にはＴＦＥシーケンスである、請求項１乃至７の何れか一項に記載の方法。
【請求項９】
前記第１の読み出しシーケンス及び前記第２の読み出しシーケンスは、ゼロエコー時間シーケンスであり、それぞれ、
ｉ）読み出し方向及び読み出し強度を有する読み出し磁場勾配を設定するステップと、
ｉｉ）前記読み出し磁場勾配の存在下で、前記励起ＲＦパルスを放射するステップと、
ｉｉｉ）前記読み出し磁場勾配の存在下で、ラジアルｋ空間サンプルを表すＦＩＤ信号を取得するステップと、
ｉｖ）前記読み出し方向を徐々に変化させるステップと、
ｖ）前記ステップｉ）乃至ｉｖ）を、複数回、繰り返すことによって、ｋ空間における球体ボリュームをサンプリングするステップと、
を含み、
取得された前記ＦＩＤ信号は、前記第１のセットのＭＲ信号及び前記第２のセットのＭＲ信号をそれぞれ形成する、請求項１乃至７の何れか一項に記載の方法。
【請求項１０】
検査ボリューム内に均一で安定した磁場を発生させる少なくとも１つの主磁石コイルと、前記検査ボリューム内に様々な空間方向に切り替えられた磁場勾配を発生させる幾つかの勾配コイルと、前記検査ボリューム内にＲＦパルスを発生させる及び／又は前記検査ボリューム内に配置される物体からのＭＲ信号を受信する少なくとも１つのＲＦコイルと、ＲＦパルス及び切り替えられた磁場勾配の時間的連続を制御する制御ユニットと、再構成ユニットと、を含み、次のステップ：
ａ）前記物体に、励起ＲＦパルス、１つ以上のリフォーカシングＲＦパルス及びチップアップＲＦパルスを含む第１のＴ２準備シーケンスを受けさせるステップと、
ｂ）第１のセットのＭＲ信号を取得するために、前記物体に、少なくとも１つの励起ＲＦパルス及び切り替えられた磁場勾配を含む第１の読み出しシーケンスを受けさせるステップと、
ｃ）前記物体に、励起ＲＦパルス、１つ以上のリフォーカシングＲＦパルス及びチップアップＲＦパルスを含む第２のＴ２準備シーケンスを受けさせるステップであって、前記第２のＴ２準備シーケンスの前記ＲＦパルスのうちの少なくとも１つは、前記第１のＴ２準備シーケンスの対応するＲＦパルスとは異なる位相を有する、前記ステップと、
ｄ）第２のセットのＭＲ信号を取得するために、前記物体に、少なくとも１つの励起ＲＦパルス及び切り替えられた磁場勾配を含む第２の読み出しシーケンスを受けさせるステップと、
ｅ）異なる読み出しにおいて取得された前記ＭＲ信号の異なるＲＦ位相に基づいて、これらの読み出しからＭＲ信号を区別するステップと、
ｆ）前記第１のセットのＭＲ信号及び前記第２のセットのＭＲ信号から、非Ｔ２強調成分からの干渉を除去するステップと、
ｇ）前記干渉が除去された前記第１のセットのＭＲ信号及び前記第２のセットのＭＲ信号から、ＭＲ画像を再構成するステップと、
を行う、ＭＲデバイス。
【請求項１１】
ａ）励起ＲＦパルス、１つ以上のリフォーカシングＲＦパルス及びチップアップＲＦパルスを含む第１のＴ２準備シーケンスを生成し、
ｂ）第１のセットのＭＲ信号を取得するために、少なくとも１つの励起ＲＦパルス及び切り替えられた磁場勾配を含む第１の読み出しシーケンスを生成し、
ｃ）励起ＲＦパルス、１つ以上のリフォーカシングＲＦパルス及びチップアップＲＦパルスを含む第２のＴ２準備シーケンスを生成し、
ｄ）第２のセットのＭＲ信号を取得するために、少なくとも１つの励起ＲＦパルス及び切り替えられた磁場勾配を含む第２の読み出しシーケンスを生成し、
ｅ）異なる読み出しにおいて取得された前記ＭＲ信号の異なるＲＦ位相に基づいて、これらの読み出しからＭＲ信号を区別するステップと、
ｆ）前記第１のセットのＭＲ信号及び前記第２のセットのＭＲ信号から、非Ｔ２強調成分からの干渉を除去するステップと、
ｇ）前記干渉が除去された前記第１のセットのＭＲ信号及び前記第２のセットのＭＲ信号から、ＭＲ画像を再構成するための命令を含み、
前記第２のＴ２準備シーケンスの前記ＲＦパルスのうちの少なくとも１つは、前記第１のＴ２準備シーケンスの対応するＲＦパルスとは異なる位相を有する、ＭＲデバイス上で実行される、コンピュータプログラム。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
磁気ランダムアクセスメモリ（ＭＲＡＭ）アレイであって、
複数のビットセルであって、前記複数のビットセルの各々は、
参照層、前記参照層を支持するバリア層、および前記バリア層を支持するフリー層を含む垂直磁気トンネル接合（ｐＭＴＪ）と、
前記フリー層を支持するスピンホール導電性材料層と、
前記スピンホール導電性材料層に結合された少なくとも１つのトランジスタと、
前記スピンホール導電性材料層に結合された少なくとも２つのダイオードとを備える、複数のビットセルと、
スピン軌道トルク（ＳＯＴ）を生成するための前記スピンホール導電性材料層および前記ｐＭＴＪの両方を通してスピントランスファートルク（ＳＴＴ）スイッチング電流を駆動することによって、前記ＳＴＴスイッチング電流およびスピン電流を使って、前記複数のビットセルのうちの少なくとも１つの、状態をセットするように動作可能なドライバであって、前記ＳＯＴは、前記ｐＭＴＪを通して前記スピン電流を生成する、ドライバとを備えるＭＲＡＭアレイ。
【請求項２】
前記参照層上にビット線コンタクトをさらに備える、請求項１に記載のＭＲＡＭアレイ。
【請求項３】
前記スピンホール導電性材料層上にソース線コンタクトのペアをさらに備える、請求項１に記載のＭＲＡＭアレイ。
【請求項４】
ソース線コンタクトの前記ペアの間を電流が流れる、請求項３に記載のＭＲＡＭアレイ。
【請求項５】
前記複数のビットセルの各々は、１接合メモリセルを備える、請求項１に記載のＭＲＡＭアレイ。
【請求項６】
音楽プレーヤ、ビデオプレーヤ、エンターテインメントユニット、ナビゲーションデバイス、通信デバイス、携帯情報端末（ＰＤＡ）、固定ロケーションデータユニット、モバイルフォン、およびポータブルコンピュータのうちの少なくとも１つに一体化される、請求項１に記載のＭＲＡＭアレイ。
【請求項７】
磁気ランダムアクセスメモリ（ＭＲＡＭ）アレイ中にデータを格納する方法であって、
少なくとも２つのダイオード、前記少なくとも２つのダイオードに結合されたスピンホール導電性材料、前記スピンホール導電性材料に結合されたトランジスタおよび垂直磁気トンネル接合（ｐＭＴＪ）を通してスピントランスファートルク（ＳＴＴ）スイッチング電流を駆動するステップであって、前記ＳＴＴスイッチング電流はスピン電流を生成するためのスピン軌道トルク（ＳＯＴ）を生成する、ステップと、
前記ｐＭＴＪを通して前記スピン電流を駆動するステップと、
前記ＳＴＴスイッチング電流および前記スピン電流を使って、複数のビットセルのうちの少なくとも１つの、状態をセットするステップとを含む方法。
【請求項８】
前記参照層上でビット線を接触させるステップをさらに含む、請求項７に記載の方法。
【請求項９】
前記スピンホール導電性材料は、ソース線コンタクトのペアを備える、請求項７に記載の方法。
【請求項１０】
ソース線コンタクトの前記ペアの間に電流を流すステップをさらに含む、請求項９に記載の方法。
【請求項１１】
書込み値をセットするために、前記ＳＴＴスイッチング電流を、前記ｐＭＴＪを通して方向付けるように、ＭＴＪ抵抗およびスピンホール導電性材料抵抗を調整するステップをさらに含む、請求項７に記載の方法。
【請求項１２】
前記ＳＴＴスイッチング電流に従って抵抗面積積を調整するステップをさらに含む、請求項７に記載の方法。
【請求項１３】
音楽プレーヤ、ビデオプレーヤ、エンターテインメントユニット、ナビゲーションデバイス、通信デバイス、携帯情報端末（ＰＤＡ）、固定ロケーションデータユニット、モバイルフォン、およびポータブルコンピュータのうちの少なくとも１つに前記ＭＲＡＭアレイを組み込むステップをさらに含む、請求項７に記載の方法。
【請求項１４】
磁気ランダムアクセスメモリ（ＭＲＡＭ）アレイであって、
複数のビットセルであって、前記複数のビットセルの各々は、
参照層、前記参照層を支持するバリア層、および前記バリア層を支持するフリー層を含む垂直磁気トンネル接合（ｐＭＴＪ）と、
前記フリー層を支持するスピンホール導電性材料層と、
前記スピンホール導電性材料層に結合された少なくとも１つのトランジスタと、
前記スピンホール導電性材料層に結合された少なくとも２つのダイオードとを備える、複数のビットセルと、
スピン軌道トルク（ＳＯＴ）を生成するための前記スピンホール導電性材料層および前記ｐＭＴＪの両方を通してスピントランスファートルク（ＳＴＴ）スイッチング電流を駆動することによって、前記ＳＴＴスイッチング電流およびスピン電流を使って、前記複数のビットセルのうちの少なくとも１つの、状態をセットするための手段であって、前記ＳＯＴは、前記ｐＭＴＪを通して前記スピン電流を生成する、手段とを備えるＭＲＡＭアレイ。
【請求項１５】
前記参照層上にビット線コンタクトをさらに備える、請求項１４に記載のＭＲＡＭアレイ。
【請求項１６】
前記スピンホール導電性材料層上にソース線コンタクトのペアをさらに備える、請求項１４に記載のＭＲＡＭアレイ。
【請求項１７】
前記複数のビットセルのうちの少なくとも１つは、１接合メモリセルを備える、請求項１４に記載のＭＲＡＭアレイ。
【請求項１８】
音楽プレーヤ、ビデオプレーヤ、エンターテインメントユニット、ナビゲーションデバイス、通信デバイス、携帯情報端末（ＰＤＡ）、固定ロケーションデータユニット、モバイルフォン、およびポータブルコンピュータのうちの少なくとも１つに一体化される、請求項１４に記載のＭＲＡＭアレイ。
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
筋強直性ジストロフィー１型の治療のための医薬であって、
ヒト遺伝子ＭＢＮＬ１及び／又はＭＢＮＬ２の発現を下方調節する、ヒトマイクロＲＮＡ−２１８−５ｐ又はヒトマイクロＲＮＡ−２３ｂ−３ｐのアンタゴニストである、オリゴリボヌクレオチド分子、
２種以上の該分子の混合物、又は
該オリゴリボヌクレオチド分子の少なくとも１つのコード配列を含む発現ベクターの少なくとも１つ
を含む、医薬。
【請求項２】
前記オリゴリボヌクレオチド分子が、
リボヌクレオチド単位の配列のフラグメントを含み、該リボヌクレオチド単位の窒素塩基の配列が、それが結合する内在性分子のフラグメントの窒素塩基の配列に対して少なくとも５０％相補的である、請求項１に記載の医薬。
【請求項３】
前記オリゴリボヌクレオチド分子が、
リボヌクレオチド単位の配列のフラグメントを含み、該リボヌクレオチド単位の窒素塩基の配列が、それが結合する内在性分子のフラグメントの窒素塩基の配列に対して少なくとも７０％相補的である、請求項２に記載の医薬。
【請求項４】
前記オリゴリボヌクレオチド分子が、
一連のリボヌクレオチド単位から構成されるフラグメントを含み、該リボヌクレオチド単位の窒素塩基の配列が、オリゴリボヌクレオチド配列番号１又はオリゴリボヌクレオチド配列番号２の窒素塩基の配列に対して少なくとも８０％、８５％、９０％、９１％、９２％、９３％、９４％、９５％、９６％、９７％、９８％、９９％、９９．５％、１００％の群から選択されるパーセンテージで同一である、請求項３に記載の医薬。
【請求項５】
前記オリゴリボヌクレオチド分子が、
ａｎｔａｇｏｍｉＲ、ｂｌｏｃｋｍｉＲ、ａｎｔｉｍｉＲ又はマイクロＲＮＡスポンジである、請求項１〜４のいずれか一項に記載の医薬。
【請求項６】
前記オリゴリボヌクレオチド分子が、
配列番号１０によって表されるａｎｔａｇｏｍｉＲ型オリゴリボヌクレオチド類似体（ａｎｔａｇｏｍｉＲ−２１８−５ｐ）又は配列番号１１によって表されるａｎｔａｇｏｍｉＲ型オリゴリボヌクレオチド類似体（ａｎｔａｇｏｍｉＲ−２３ｂ−３ｐ）である、請求項４に記載の医薬。
【請求項７】
前記オリゴリボヌクレオチド分子が、
配列番号８４〜配列番号９１からなる群より選択される配列によって表される、請求項４に記載の医薬。
【請求項８】
前記オリゴリボヌクレオチド分子が、
配列番号９２〜配列番号９４からなる群より選択される配列によって表される、請求項４に記載の医薬。
【請求項９】
前記オリゴリボヌクレオチド分子が、
配列番号９５〜配列番号１０４からなる群より選択される配列によって表される、請求項４に記載の医薬。
【請求項１０】
担体及び／又は１つ以上の薬学的に許容可能な賦形剤を付加的に含む、請求項１〜９のいずれか一項に記載の医薬。
【請求項１１】
前記治療が筋強直性ジストロフィー１型の１つ以上の症状の姑息的治療である、請求項１〜１０のいずれか一項に記載の医薬。
【請求項１２】
前記治療が筋強直性ジストロフィー１型の症状の一部である筋障害の１つ以上の姑息的治療である、請求項１〜１１のいずれか一項に記載の医薬。
【請求項１３】
配列番号８４〜配列番号９１からなる群より選択される配列によって表されるａｎｔａｇｏｍｉＲ型オリゴリボヌクレオチド分子。
【請求項１４】
配列番号９２〜配列番号９４からなる群より選択される配列によって表されるａｎｔａｇｏｍｉＲ型オリゴリボヌクレオチド分子。
【請求項１５】
配列番号９５〜配列番号１０４からなる群より選択される配列によって表されるａｎｔａｇｏｍｉＲ型オリゴリボヌクレオチド分子。
【手続補正書】
【提出日】平成31年4月15日(2019.4.15)
【手続補正１】
【補正対象書類名】特許請求の範囲
【補正対象項目名】全文
【補正方法】変更
【補正の内容】
【特許請求の範囲】
【請求項１】
ディスプレイ装置であって、
サーバーと通信可能な通信回路を有する通信部と、
ディスプレイ部と、
前記サーバーからコンテンツのセグメントを受信し、
該受信されたセグメントに基づいて球形映像を生成し、
前記球形映像の第１領域を前記ディスプレイ部に表示し、
前記球形映像において表示可能性が高い第２領域を予測するために、前記サーバーによって使用可能な情報を前記サーバーに伝送し、
前記サーバーから、前記第２領域に対応するセグメントと、前記球形映像において第３領域に対応するセグメントを受信し、前記第２領域に対応するセグメントは、前記第３領域に対応するセグメントよりも高い解像度を有し、
第２領域に対応する前記受信されたセグメントと第３領域に対応する前記受信されたセグメントに基づいて前記球形映像を生成するよう、前記ディスプレイ装置を制御する制御部と、
を備えるディスプレイ装置。
【請求項２】
前記情報は、現在視線に関する情報、時間帯別視線移動に関する情報、ジェスチャー又は音声に関する情報のうち少なくとも一つを含む、請求項１に記載のディスプレイ装置。
【請求項３】
前記サーバーは、前記ディスプレイ装置から受信された情報、前記コンテンツに含まれている前記コンテンツの製作情報、又は広告情報のうち少なくとも一つに基づいて、前記第２領域を識別する、請求項２に記載のディスプレイ装置。
【請求項４】
前記制御部は、前記ディスプレイ装置のネットワーク状態に関する情報をさらに前記サーバーに伝送し、前記ネットワーク状態に基づいて前記サーバーから受信されるセグメントの映像の最大解像度を識別する、請求項１に記載のディスプレイ装置。
【請求項５】
前記第３領域は、表示可能性の高くない領域に対応する、請求項１に記載のディスプレイ装置。
【請求項６】
前記制御部は、前記第２領域に対応する第１セグメントと、前記第３領域に対応する第２セグメントとをスティッチング方式で連結するように映像処理部を制御する、請求項１に記載のディスプレイ装置。
【請求項７】
前記制御部は、前記第２領域に対応する第１セグメントを受信し、次に、前記第３領域に対応する第２セグメントを受信する、請求項１に記載のディスプレイ装置。
【請求項８】
前記制御部は、前記サーバーに前記第２領域を予測するために前記サーバーによって使用可能な情報を周期的に伝送するように前記ディスプレイ装置を制御する、請求項１に記載のディスプレイ装置。
【請求項９】
前記制御部は、前記ユーザの現在視線が所定時間以上維持される場合、前記現在視線に関する情報を前記サーバーに伝送するように前記ディスプレイ装置を制御する、請求項２に記載のディスプレイ装置。
【請求項１０】
前記サーバーは、前記セグメントに分割されたコンテンツを複数の解像度別に処理して保存する、請求項１に記載のディスプレイ装置。
【請求項１１】
ディスプレイ装置の制御方法であって、
サーバーからコンテンツのセグメントを受信する段階と、
前記受信されたセグメントに基づいて球形映像を生成する段階と、
前記球形映像の第１領域を表示する段階と、
前記球形映像において表示可能性が高い第２領域を予測するために、前記サーバーによって使用可能な情報を前記サーバーに伝送する段階と、
前記サーバーから、前記第２領域に対応するセグメントと、前記球形映像において第３領域に対応するセグメントを受信する段階と、
第２領域に対応する前記受信されたセグメントと第３領域に対応する前記受信されたセグメントに基づいて前記球形映像を表示する段階と、
を含むディスプレイ装置の制御方法。
【請求項１２】
前記情報は、現在視線に関する情報、時間帯別視線移動に関する情報、ジェスチャー又は音声に関する情報のうち少なくとも一つを含む、請求項１１に記載のディスプレイ装置の制御方法。
【請求項１３】
前記サーバーは、前記ディスプレイ装置から受信された情報、前記コンテンツに含まれている前記コンテンツの製作情報、又は広告情報のうち少なくとも一つに基づいて、前記第２領域を識別する、請求項１２に記載のディスプレイ装置の制御方法。
【請求項１４】
前記サーバーに前記ディスプレイ装置のネットワーク状態に関する情報を伝送する段階と、
前記ネットワーク状態に基づいて前記サーバーから受信されるセグメントの映像の最大解像度を識別する段階とをさらに含む、請求項１１に記載のディスプレイ装置の制御方法。
【請求項１５】
前記第３領域は、表示可能性の高くない領域に対応する、請求項１１に記載のディスプレイ装置の制御方法。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
超伝導磁石をクエンチから保護する方法であって、
前記超伝導磁石は、高温超伝導体（ＨＴＳ）材料を含む少なくとも一つの一次コイルを含み、
前記方法は、
二次ＨＴＳテープを設けることと、
前記二次ＨＴＳテープにおける超伝導性の喪失を検出することと、
前記検出に応答して前記一次コイルから外部抵抗性負荷へとエネルギーをダンプすることと
を含み、
前記二次ＨＴＳテープは、前記一次コイルに近接して存在して前記一次コイルから電気的に絶縁され、前記超伝導磁石の動作中に前記一次コイルよりも低温で超伝導を終了させるように構成される方法。
【請求項２】
前記超伝導磁石の動作中において、前記二次ＨＴＳテープにおける電流は、その臨界電流に対する割合が、前記一次コイルにおける電流よりも高くなる請求項１に記載の方法。
【請求項３】
前記二次ＨＴＳテープは一対のテープとして設けられ、
前記テープは、対向方向の電流を搬送し、互いに平行かつ隣接するように配置される請求項１又は２に記載の方法。
【請求項４】
超伝導性の喪失を検出することは、前記二次ＨＴＳテープの２点間の所定値の過剰電圧差を検出することを含む請求項１から３のいずれかに記載の方法。
【請求項５】
前記二次ＨＴＳテープが超伝導を終了させる温度と前記一次コイルのＨＴＳテープが超伝導を終了させる温度との差は、５ケルビンから８０ケルビンである、請求項１から４のいずれか一項に記載の方法。
【請求項６】
高温超伝導体（ＨＴＳ）材料を含む少なくとも一つの一次コイルを有する超伝導磁石とともに使用されるクエンチ保護システムであって、
前記超伝導磁石の一次コイルに隣接して配置されて前記一次コイルから絶縁されるように構成されるとともに、前記超伝導磁石の動作中に前記一次コイルよりも低温において超伝導を終了させるように構成された二次ＨＴＳテープと、
前記二次ＨＴＳテープにおける超伝導性の喪失を検出するように構成された検出ユニットと、
前記検出に応答してエネルギーを前記一次コイルから外部抵抗性負荷へとダンプさせるように構成されたクエンチ保護ユニットと
を含むクエンチ保護システム。
【請求項７】
前記二次ＨＴＳテープは、互いに平行かつ隣接するように配置されて対向方向の電流を搬送するように構成された一対のＨＴＳテープを含む請求項６に記載のクエンチ保護システム。
【請求項８】
超伝導磁石であって、
一次コイルと、
請求項６又は７に記載のクエンチ保護システムと
を含み、
前記一次コイルは高温超伝導体（ＨＴＳ）材料を含む超伝導磁石。
【請求項９】
核融合炉のためのトロイダル磁場コイル又はポロイダル磁場コイルであって、
高温超伝導体（ＨＴＳ）材料と、
請求項６又は７に記載のクエンチ保護システムと
を含むトロイダル磁場コイル又はポロイダル磁場コイル。
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
発光ダイオード（ＬＥＤ）デバイスであって、
複数の発光素子を有するＬＥＤダイであり、前記複数の発光素子の各々がそれに結合された一対のボンドパッドを含み、前記ボンドパッドの各々が、４つの直交エッジを持つ矩形形状を有し、各対の前記ボンドパッドの少なくとも一方が、少なくとも１つの切り取られたコーナーを持ち、前記切り取られたコーナーの各々が追加の非直交エッジを形成している、ダイ、
を有し、
前記複数の発光素子は、少なくとも２つの斜向かいのボンドパッドが、切り取られて、且つ互いに面する非直交エッジを有するように、前記ダイの中に配置されている、
デバイス。
【請求項２】
当該デバイスは更に、前記ダイがマウントされた基板を有し、該基板は単一の相互接続層を有し、前記複数の発光素子は４つの発光素子を有し、前記ボンドパッドは、前記基板上の前記単一の相互接続層を用いた、３、６、又は１２ボルトの公称動作電圧の選択、を可能にするように構成されている、請求項１に記載のデバイス。
【請求項３】
前記４つの発光素子は２×２アレイに配列されている、請求項２に記載のデバイス。
【請求項４】
前記４つの発光素子は１×４アレイに配列されている、請求項２に記載のデバイス。
【請求項５】
前記切り取られたボンドパッドの各々は、前記４つの直交エッジと１つの非直交エッジとを含む５つのエッジを有する、請求項１に記載のデバイス。
【請求項６】
前記切り取られたボンドパッドのうちの少なくとも１つは、前記４つの直交エッジと２つの非直交エッジとを含む６つのエッジを有する、請求項１に記載のデバイス。
【請求項７】
当該デバイスは更に、前記ダイがマウントされた基板を有し、該基板は単一の相互接続層を有し、前記ボンドパッドは、前記単一の相互接続層を用いた、前記複数の発光素子の全ての直列接続への外部結合、を可能にするように構成されている、請求項１に記載のデバイス。
【請求項８】
当該デバイスは更に、前記ダイがマウントされた基板を有し、該基板は単一の相互接続層を有し、前記ボンドパッドは、前記基板上の前記単一の相互接続層を用いた、前記複数の発光素子の全ての並列接続への外部結合、を可能にするように構成されている、請求項１に記載のデバイス。
【請求項９】
前記ボンドパッドは、前記基板上の前記単一の相互接続層を用いた、前記複数の発光素子の全ての直並列接続への外部結合、を可能にするように構成されている、請求項８に記載のデバイス。
【請求項１０】
前記ダイは、三対以上のボンドパッドを含み、各対の各ボンドパッドが、少なくとも１つの切り取られたコーナーを、対応する非直交エッジとともに持ち、前記複数の発光素子の各々が、各ボンドパッドが斜向かいのボンドパッドの非直交エッジに面する少なくとも１つの非直交エッジを持つように配置されている、請求項８に記載のデバイス。
【請求項１１】
少なくとも１つのボンドパッドが、当該少なくとも１つのボンドパッドの少なくとも１つの非直交エッジが２つの別々のボンドパッドの２つの非直交エッジに面するように、前記ダイの中に配置されている、請求項１０に記載のデバイス。
【請求項１２】
各対のボンドパッドが、対応する発光素子のｐ層に結合されたｐ型ボンドパッドと、対応する発光素子のｎ層に結合されたｎ型ボンドパッドとを含む、請求項１０に記載のデバイス。
【請求項１３】
複数のＬＥＤデバイスが上に配置された基板を更に有し、該基板は、
電圧源の負ノードへの外部接続のための、複数の前記ｐ型ボンドパッドの全てに電気的に結合された第１の導電セグメントと、
前記電圧源の正ノードへの外部接続のための、複数の前記ｎ型ボンドパッドの全てに電気的に結合された第２の導電セグメントと、
を有する、請求項１２に記載のデバイス。
【請求項１４】
複数のＬＥＤデバイスが上に配置された基板を更に有し、該基板は、
電圧源の負ノードへの少なくとも１つのｎ型ボンドパッドの電気結合用に構成された第１の導電セグメントと、
前記電圧源の正ノードへの少なくとも１つのｐ型ボンドパッドの電気結合用に構成された第２の導電セグメントと、
ある発光素子のｎ型ボンドパッドと別の発光素子のｐ型ボンドパッドとの間に直に結合された少なくとも１つの第３の導電セグメントと、
を有する、請求項１２に記載のデバイス。
【請求項１５】
複数のＬＥＤデバイスが上に配置された基板を更に有し、該基板は、
電圧源の正ノードへの少なくとも１つのｎ型ボンドパッドの電気結合用に構成された少なくとも１つの第１の導電セグメントと、
前記電圧源の負ノードへの少なくとも１つのｎ型ボンドパッドの電気結合用に構成された少なくとも１つの第２の導電セグメントと、
全ての他のｐ型及びｎ型ボンドパッドに電気的に結合された第３の導電セグメントと、
を有する、請求項１２に記載のデバイス。
【請求項１６】
前記ボンドパッドは、前記複数の発光素子がマウントされる基板上の相互接続パターンに対する製造公差を受け入れる離隔距離を置いて位置付けられている、請求項１に記載のデバイス。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
パルスオキシメトリ統合静脈内輸液システムを使用して薬物投与をスケジューリングする方法であって、前記方法は、
少なくとも１つのデータベースから通信ネットワークを介して、患者の病歴、患者の状態、診断結果、及び、患者に投与される１つ又は複数の薬物に関する情報を含む患者データを検索するステップと、
検索された前記患者データを、静脈内ポンプユニットのインタフェースの画面上に表示するステップと、
パルスオキシメータを介して、前記患者からのパルスオキシメトリデータをモニタリングするステップと、
前記パルスオキシメトリデータ、患者の病歴、患者の状態、診断結果、及び、１つ又は複数の前記薬物に関する情報に基づいて、薬物投与スケジュールを作成するステップと、
前記静脈内ポンプユニットを介して、前記患者に投与された１つ又は複数の前記薬物の１つ又は複数の効果をモニタリングするステップと、
モニタリングされた前記効果に基づいて、設定された前記薬物投与スケジュールの有効性評価を計算するステップであって、前記有効性評価が、１つ又は複数の投与された前記薬物の効能、及び／又は、前記薬物投与による前記患者の病状の改善の程度を示す、計算するステップと、
計算された前記有効性評価をユーザが更新できるようにするユーザインタフェースを表示させるステップと、
モニタリングされた前記効果、及び計算され又は更新された前記有効性評価に基づいて、少なくとも１つの前記データベースに記憶された前記患者の患者レコードを更新するステップと
を有する、方法。
【請求項２】
前記薬物投与スケジュールを作成する前記ステップが、複数の薬物投与スケジュールから１つの薬物投与スケジュールを選択するステップを含む、請求項１に記載の方法。
【請求項３】
前記薬物投与スケジュールを選択する前記ステップが、同様の医療プロフィールを有する患者に以前使用された薬物投与スケジュールに基づいている、請求項２に記載の方法。
【請求項４】
１つ又は複数の前記薬物が、少なくとも１つの遺伝因子と関連付けられている、請求項１に記載の方法。
【請求項５】
前記遺伝因子が概日遺伝子を含む、請求項４に記載の方法。
【請求項６】
前記パルスオキシメトリデータ、設定された前記薬物投与スケジュールに対する１つ又は複数の観察された患者の反応、計算された前記有効性評価、及び、医療関係者によって入力された有効性評価、のうちの少なくとも１つに基づいて、設定された前記薬物投与スケジュールを変更するステップをさらに有する、請求項１に記載の方法。
【請求項７】
前記静脈内ポンプユニットが、１つ又は複数の薬物投与速度、少なくとも１つの環境パラメータ、投薬頻度、及び、治療期間の継続期間にわたって投与される薬物の量を制御することができる、請求項１に記載の方法。
【請求項８】
パルスオキシメトリ統合静脈内輸液システムを使用して薬物投与をスケジューリングするシステムであって、前記システムは、
患者の病歴、患者の状態、診断結果、及び、患者に投与される１つ又は複数の薬物に関する情報を含む患者データを記憶する少なくとも１つのデータベースと、
検索された前記患者データを画面上に表示する静脈内ポンプユニットインタフェースと、
前記患者からのパルスオキシメトリデータをモニタリングするパルスオキシメータと、
メモリに記憶された命令を実行するプロセッサと
を備え、前記プロセッサによる前記命令の実行によって、
前記パルスオキシメトリデータ、患者の病歴、患者の状態、診断結果、及び、１つ又は複数の前記薬物に関する情報に基づいて、薬物投与スケジュールを作成することであって、ここで、前記患者に投与された１つ又は複数の前記薬物の１つ又は複数の効果を静脈内ポンプユニットがモニタリングする、作成することと、
モニタリングされた前記効果に基づいて、設定された前記薬物投与スケジュールの有効性評価を計算することであって、前記有効性評価が、１つ若しくは複数の投与された前記薬物の効能、及び／又は、前記薬物投与による前記患者の病状の改善の程度を示す、計算することと、
計算された前記有効性評価をユーザが更新できるようにするユーザインタフェースを表示させることと、
モニタリングされた前記効果、及び計算され又は更新された前記有効性評価に基づいて、少なくとも１つの前記データベースに記憶された前記患者の患者レコードを更新することと、を行う、
システム。
【請求項９】
前記プロセッサが、複数の薬物投与スケジュールから１つの薬物投与スケジュールを選択することにより、前記薬物投与スケジュールを作成する、請求項８に記載のシステム。
【請求項１０】
前記プロセッサが、同様の医療プロフィールを有する患者に以前使用された薬物投与スケジュールに基づいて、前記薬物投与スケジュールを選択する、請求項９に記載のシステム。
【請求項１１】
１つ又は複数の前記薬物が、少なくとも１つの遺伝因子と関連付けられている、請求項８に記載のシステム。
【請求項１２】
前記遺伝因子が概日遺伝子を含む、請求項１１に記載のシステム。
【請求項１３】
前記プロセッサが、さらなる命令を実行して、前記パルスオキシメトリデータ、設定された前記薬物投与スケジュールに対する１つ又は複数の観察された患者の反応、計算された前記有効性評価、及び、医療関係者によって入力された有効性評価、のうちの少なくとも１つに基づいて、設定された前記薬物投与スケジュールを変更する、請求項８に記載のシステム。
【請求項１４】
前記静脈内ポンプユニットが、１つ又は複数の薬物投与速度、少なくとも１つの環境パラメータ、投薬頻度、及び、治療期間の継続期間にわたって投与される薬物の量を制御することができる、請求項８に記載のシステム。
【請求項１５】
請求項１に記載の方法を実施するための、プロセッサにより実行可能なプログラムを組み込んだ、非一時的なコンピュータ可読記憶媒体。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
少なくとも１つのコンピュータプロセッサを介して、人工的に追加された特徴が存在する、被検者の身体の一部の少なくとも１つの画像を受信するステップと、
前記少なくとも１つのコンピュータプロセッサを使用して、前記画像の取得後に、前記画像に人工的に追加された前記被検者の身体の前記一部の前記画像内に存在する１つ又は複数の前記特徴を識別するステップと、
これに応じて、出力装置上で出力を生成するステップであって、識別された前記特徴が表示画像から除去された状態で前記画像を表示するようディスプレイを駆動するステップを含む、生成するステップとを含む、方法。
【請求項２】
前記コンピュータプロセッサを使用して、識別された前記特徴が測定に含まれないよう、前記画像に対して前記測定を実行するステップをさらに含み、前記出力を生成するステップは、前記出力装置上に前記測定の指標を生成することを含む、請求項１に記載の方法。
【請求項３】
前記１つ又は複数の特徴を識別するステップは、前記１つ又は複数の特徴が前記画像の端から所与の距離内に位置することを決定するステップと、前記１つ又は複数の特徴を、前記画像の取得後に、前記画像に人工的に追加されたものとして識別するステップとを含む、請求項１に記載の方法。
【請求項４】
前記１つ又は複数の特徴を識別するステップは、前記画像内に存在する英数字特性を有する１つ又は複数の特徴を識別するステップを含む、請求項１又は２に記載の方法。
【請求項５】
前記１つ又は複数の特徴を識別するステップは、線を画定するものとして複数のピクセルのセットを識別するステップと、前記ピクセルのセットを、前記画像の取得後に、前記画像に人工的に追加された特徴に対応すると識別するステップとを含む、請求項１に記載の方法。
【請求項６】
前記１つ又は複数の特徴を識別するステップは、直線の密度が閾値を上回る前記画像内の領域を識別するステップと、前記領域を、前記画像の取得後に、前記画像に人工的に追加された特徴を含むと識別するステップとを含む、請求項１又は５に記載の方法。
【請求項７】
前記１つ又は複数の特徴を識別するステップは、前記画像の所与の領域内の水平及び垂直グラデーションの密度が閾値を上回ることを決定するステップと、前記領域を、前記画像の取得後に、前記画像に人工的に追加された特徴を含むと識別するステップとを含む、請求項１、５、又は６の何れか一項に記載の方法。
【請求項８】
前記１つ又は複数の特徴を識別するステップは、
前記画像において、第１のピクセルと、前記第１のピクセルから所与の距離内にある少なくとも１つの第２のピクセルとの間の強度差が閾値を上回ると決定するステップと、
前記画像内の前記第１のピクセルの値と、前記被検者の身体の前記一部の１つ又は複数の追加画像における第１のピクセルの値との間の強度差が閾値量未満であると決定するステップと、
前記画像内の前記第１のピクセルを含む領域を、前記画像の取得後に、前記画像に人工的に追加された特徴を含むと識別するステップとを含む、請求項１に記載の方法。
【請求項９】
被検者の身体の一部の画像を取得する撮像装置と、
出力装置と、
少なくとも１つのコンピュータプロセッサであって、
人工的に追加された特徴が存在する、前記被検者の身体の前記一部の前記画像を前記撮像装置から受信し、
前記撮像装置による前記画像の取得後に、前記画像に人工的に追加された１つ又は複数の前記特徴が前記被検者の身体の前記一部の前記画像内に存在することを決定し、
これに応じて、前記識別された特徴が表示画像から除去された状態で前記画像を表示するようディスプレイを駆動することによって、前記出力装置上で出力を生成する、少なくとも１つのコンピュータプロセッサとを含む、装置。
【請求項１０】
前記コンピュータプロセッサは、前記識別された特徴が測定に含まれないよう、前記画像に対して前記測定を実行し、前記コンピュータプロセッサは、前記出力装置上に前記測定の指標を生成することによって前記出力を生成する、請求項９に記載の装置。
【請求項１１】
前記コンピュータプロセッサは、前記１つ又は複数の特徴が前記画像の端から所与の距離内に位置することを決定し、前記１つ又は複数の特徴を、前記画像の取得後に、前記画像に人工的に追加されたものとして識別することによって、前記１つ又は複数の特徴を識別する、請求項９に記載の装置。
【請求項１２】
前記コンピュータプロセッサは、前記画像内に存在する英数字特性を有する１つ又は複数の特徴を識別することによって、前記１つ又は複数の特徴を識別する、請求項９又は１０に記載の装置。
【請求項１３】
前記コンピュータプロセッサは、
線を画定するものとして複数のピクセルのセットを識別し、前記ピクセルのセットを、前記画像の取得後に、前記画像に人工的に追加された特徴に対応すると識別すること、
直線の密度が閾値を上回る前記画像内の領域を識別し、前記領域を、前記画像の取得後に、前記画像に人工的に追加された特徴を含むと識別すること、並びに
前記画像の所与の領域内の水平及び垂直グラデーションの密度が閾値を上回ることを決定し、前記領域を、前記画像の取得後に、前記画像に人工的に追加された特徴を含むと識別すること
のうちの少なくとも１つによって、前記１つ又は複数の特徴を識別する、請求項９に記載の装置。
【請求項１４】
前記コンピュータプロセッサは、
前記画像において、第１のピクセルと、前記第１のピクセルから所与の距離内にある少なくとも１つの第２のピクセルとの間の強度差が閾値を上回ると決定し、
前記画像内の前記第１のピクセルの値と、前記被検者の身体の前記一部の１つ又は複数の追加画像における第１のピクセルの値との間の強度差が閾値量未満であると決定し、
前記画像内の前記第１のピクセルを含む領域を、前記画像の取得後に、前記画像に人工的に追加された特徴を含むと識別することによって、前記１つ又は複数の特徴を識別する、請求項９に記載の装置。
【請求項１５】
被検者の身体の一部の画像を取得する撮像装置と、出力装置とともに使用されるコンピュータソフトウェアであって、前記コンピュータソフトウェアのプログラム命令が非一時的コンピュータ可読媒体に保存され、前記プログラム命令は、コンピュータによって読み取られると、前記コンピュータに、請求項１に記載の方法のステップを実行させる、コンピュータソフトウェア。
【手続補正書】
【提出日】令和1年8月23日(2019.8.23)
【手続補正１】
【補正対象書類名】明細書
【補正対象項目名】００４２
【補正方法】変更
【補正の内容】
【００４２】
上掲の例では、画像データが処理済ＤＯＥウェハにおける焦点及び露出（即ちドーズ）ばらつきに関連付けられている。しかしながら、一般的には、画像データがプロセスパラメタ、構造的パラメタ、分散パラメタ等々のどのようなばらつきに関連付けられていてもよいものと想定しうる。ＤＯＥウェハの画像は注目パラメタの広大なばらつきを呈しうる。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
格納式コードリール装置であって、
ａ）少なくとも第１のハウジング区画を含むハウジングと、
ｂ）前記ハウジング内に配置されて、このハウジングに対して回転するように配置されたスプールであり、一方の面に沿って導電面を有するスプールと、
ｃ）遠位端及び近位端を有する格納式コードであり、この格納式コードは、格納中に前記スプールの周りに巻き付くようにして前記ハウジングから延出して且つ前記ハウジング内へ格納可能であり、この格納式コードの前記近位端は、前記スプールの前記導電面と電気的に連通する格納式コードと、
ｄ）前記スプールの前記導電面と持続的な導電接触を可能にするための少なくとも１つの固定された導電性ばね接点と、
ｅ）前記ハウジングに対して固定的に接続され、外部電源に接続された際に前記ハウジングに定位置を与える電源プラグであり、この電源プラグは前記固定された導電性ばね接点及び前記スプールの前記導電面を介して電気的連通を通じて前記格納式コードに電力を供給し、この電源プラグは更に、使用されていないときに前記少なくとも第１のハウジング区画へ格納可能である電源プラグとを備える格納式コードリール装置。
【請求項２】
請求項１の格納式コードリール装置において、前記格納式コードに電力充電が供給されると同時に、電子機器に接続して、この電子機器に電力を供給するための雌電子充電ポートを更に備える格納式コードリール装置。
【請求項３】
請求項１の格納式コードリール装置において、前記ハウジングは、格納されたときに前記ハウジングの輪郭内で前記コードの前記遠位端をその中に物理的に保持するための外側向きキャビティ及び肩部を更に備える格納式コードリール装置。 
【請求項４】
請求項１の格納式コードリール装置において、前記ハウジングは、第２のハウジング区画を更に備え、この第２のハウジング区画は前記スプールを包含し、前記第１のハウジング区画へ接続可能である格納式コードリール装置。
【請求項５】
請求項４の格納式コードリール装置において、前記第２のハウジング区画は、前記第１のハウジング区画への接続が無いときに前記格納式コードリールへ電力を供給するバッテリを更に含む格納式コードリール装置。
【請求項６】
格納式コードリール装置であって、
ａ）ハウジングと、
ｂ）前記ハウジング内に配置されて、このハウジングに対して回転するように配置されたスプールであり、一方の面に沿って導電面を有するスプールと、
ｃ）遠位端及び近位端を有する格納式コードであり、この格納式コードは、格納中に前記スプールの周りに巻き付くようにして前記ハウジングから延出して且つ前記ハウジング内へ格納可能であり、この格納式コードの前記近位端は、前記スプールの前記導電面と電気的に連通する格納式コードと、
ｄ）前記導電面と持続的な導電接触を可能にするための少なくとも１つの固定された導電性接点と、
ｅ）前記固定された導電性接点及び前記スプールの前記導電面を介して電気的連通を通じて前記格納式コードに電力を供給するように前記ハウジングに対して固定的に接続された電源プラグと、
ｆ）前記固定された導電性接点に電気的に連通して前記格納式コードへ直流電流供給を与えるプリント回路基板とを備える格納式コードリール装置。
【請求項７】
請求項６の格納式コードリール装置において、前記電源プラグは折り畳み式電源プラグである格納式コードリール装置。
【請求項８】
請求項６の格納式コードリール装置において、使用中に前記格納式コードを所望の伸張にするように前記スプールの位置を機械的に保持するためのラチェットを更に備え、このラチェットは非導電性ラチェットである格納式コードリール装置。